(57)【要約】【課題】溶接時に充分の圧縮空気を噴出することにより。電極チップ本体及びその周辺を充分冷却でき、スパッタや塵・埃を飛散させることができる地絡溶接用電極チップを提供すること。【解決手段】ガイドピン８の主軸部９周面に、ガイドピン８が押し下げられたとき、下端部が電極チップ本体１の中空部２に開口する軸方向の溝１３を形成したもの。【選択図】図１
2019188466.tif 000002
【特許請求の範囲】
【請求項１】
圧縮空気供給口を備えた電極チップ本体の中空部の上端開口にガイド孔付のキャップを取付け、このガイド孔に、上下動可能なガイドピンをその下端の鍔部により下端開口が閉塞可能に挿通してなる抵抗溶接用電極チップにおいて、ガイドピンの主軸部周面に、ガイドピンが押し下げられたとき、下端部が電極チップ本体の中空部に開口する軸方向の溝を形成したことを特徴とした抵抗溶接用電極チップ。
【発明の詳細な説明】
【技術分野】
【０００１】  本発明はガイドピンが押し下げられると、ガイドピンとキャップとの間の隙間から圧縮空気を噴出させる抵抗溶接用電極チップに関するものである。
【背景技術】
【０００２】  従来、この種の電極チップとして、図４に示すように、圧縮空気供給口５１を形成した電極チップ本体５２の中空部５３の上端開口にガイド穴５４を穿設したキャップ５５を取付け、該ガイド穴５４の下端開口をガイドピン５６の下端鍔部５７をもって閉塞し、溶接時にガイドピン５６が押し下げられると電極チップ本体５２の中空部５３に供給される圧縮空気がガイド孔５４とガイドピン５６との間の隙間を通って噴出し、この噴出する圧縮空気により電極チップ本体５２およびその周辺を冷却するとともに周辺に発生したスパッタや塵埃を飛散させるようにしたものがある。（例えば、特許文献１を参照）
【先行技術文献】
【特許文献】
【０００３】
【特許文献１】実公昭５８−０２３５００号公報
【発明の概要】
【発明が解決しようとする課題】
【０００４】  前記のものでは、圧縮空気をガイドピン５６と電極チップ本体５２との隙間から噴出しているため、圧縮空気の噴出量が少なく、充分な冷却やスパッタ・塵埃を確実に飛散させることができないという問題があった。【０００５】  本発明は、前記の問題を解決し、溶接時に充分の圧縮空気を噴出することができ、電極チップ本体及びその周辺を充分冷却でき、スパッタや塵・埃を飛散させることができる抵抗溶接用電極チップを提供することを目的になされたものである。
【課題を解決するための手段】
【０００６】  上記課題を解決するためになされた本発明の抵抗溶接用電極チップは、圧縮空気供給口を備えた電極チップ本体の中空部の上端開口にガイド孔付のキャップを取付け、このガイド孔に、上下動可能なガイドピンをその下端の鍔部により下端開口が閉塞可能に挿通してなる抵抗溶接用電極チップにおいて、ガイドピンの主軸部周面に、ガイドピンが押し下げられたとき、下端部が電極チップ本体の中空部に開口する軸方向の溝を形成したことを特徴とするものである。
【発明の効果】
【０００７】  本発明では、ガイドピンの主軸部周面に、ガイドピンが押し下げられたとき、下端部が電極チップ本体の中空部に開口する軸方向の溝を形成したので、溶接時に充分な量の圧縮空気を噴出させることができ、電極チップやその周辺も充分冷却され、また、圧縮空気の噴出によって、溶接時に発生するスパッタや周辺の塵埃も確実に飛散させることができる。
【図面の簡単な説明】
【０００８】
【図１】本発明の好ましい実施の形態を示す断面図である。
【図２】図１の溶接時の状態を示す断面図である。
【図３】スライドピンの図であり、（イ）は平面図、（ロ）は正面図である。
【図４】従来例を示す断面図である。
【発明を実施するための形態】
【０００９】  以下、本発明の好ましい実施の形態について、図１から図３に基づいて説明すると、１は電極チップ本体であり、電極チップ本体１には、上端開口の円筒形の中空部２が形成されるとともに、中空部２には圧縮空気供給口３が設けられており、圧縮空気供給口３には圧縮空気供給管接続金具４が螺着されている。
【００１０】  ５は中央にガイド穴６を貫通させるとともに、裏面に取付け部７を突設したキャップであり、キャップ５は取付け部７を電極チップ本体１の中空部２に螺合することにより、電極チップ本体１の中空部２の上端開口を塞ぐように電極チップ本体１の上端に取付けられている。
【００１１】８は、主軸部９の上部に先細状の細径部１０を形成し、下端に鍔部１１を形成するとともに、主軸部９の周面に軸方向の３本の溝１２を形成した上下動可能なガイドピンであり、ガイドピン８は、細径部１０をキャップ５のガイド穴６から突出させるように主軸部９をガイド穴６に挿通し、ガイドピン８が上昇して、キャップ５から細径部１０を突出した状態では、主軸部９に形成した溝１２はキャップ５のガイド穴６内に位置しているのでガイドピン８の溝１２も電極チップ本体１の中空部２から閉鎖されており、ガイドピン８が押し下げられた状態では、ガイドピン８の溝１２の下端部は電極チップ本体１の中空部２に開口している。
【００１２】  １２はガイドピン８を常に突出する方向に付勢する、バネからなる弾性体である。尚、弾性体８の代わりに供給されている圧縮空気にてガイドピン８を上昇させるようにしてもよい。
【００１３】  １３はガイドピン８の主軸部９と鍔部１１の境界に装着され、ガイドピン８が上昇したときにキャップ５の取付け部７下面に当接して、キャップ５の下端開口を密閉するパッキンである。
【００１４】  次に、本実施の形態による溶接方法を説明すると、図１に示すように、ワーク１５の挿通穴１６と溶接ナット１７のねじ穴１８を下部の電極チップのガイドピン８に嵌め込みワーク１５と溶接ナット１７を電極チップ上に保持させる。このときガイドピン８は上昇しており、ガイドピン８の主軸部９に形成した溝１２はキャップ５のガイド穴６内に位置しているので、ガイドピン８の鍔部１１によってキャップ５のガイド穴６が閉塞されている。
【００１５】  この後、図２に示すように、上部電極１９を下降し、溶接ナット１７に接触押圧させ、溶接電流を上部電極１９、溶接ナット１７、ワーク１５、及び電極チップに流し、ワーク１５に溶接ナット１７を溶接する。このとき、ガイドピン８は上部電極１９によって押し下げられるので、ガイドピン８の主軸部９の溝１１は下端部が電極チップ本体１の中空部２に開口し、圧縮空気流路に連通しており、供給される圧縮空気は、ガイドピン８とキャップ５の間の隙間だけではなく、溝１２も通って噴出するので、溝１２の本数、断面積を適切にすることにより圧縮空気の噴出量を適切な量とすることができる。
【００１６】  以上のように、本発明によれば、ガイドピン８の主軸部９周面に、ガイドピン８が押し下げられたとき、下端部が電極チップ本体１の中空部２に開口する軸方向の溝１３を形成したので、溶接時に充分な量の圧縮空気を噴出させることができ、電極チップやその周辺も充分冷却され、また、圧縮空気の噴出によって、溶接時に発生するスパッタや周辺の塵埃も確実に飛散させることができる。
【符号の説明】
【００１７】  １  電極チップ本体
２  中空部
３  圧縮空気供給口
５  キャップ
６  ガイド穴
７  取付け部
８  ガイドピン
９  主軸部
１０  細径部
１１  鍔部
１２  溝
【図１】
2019188466.tif 000003
【図２】
2019188466.tif 000004
【図３】
2019188466.tif 000005
【図４】
2019188466.tif 000006